(57)【要約】【課題】遠心ファンの外縁の軌道から吹出口まで延びる送風路の短縮に寄与することができる空気調和機を提供する。【解決手段】空気調和機は、底板２８ａに区画される第１吹出口３１を有し、第１吸込口から第１吹出口３１に至る気流の通路内に熱交換器を収容する構造体２８と、構造体２８に対して相対的に姿勢変化自在に第１吹出口３１の両側に配置されて、構造体２８の通路から隔てられて、構造体２８外側の空間に開口する第２吸込口４３から、非作動位置で底板２８ａに並んで下向きに開口する第２吹出口３８に至る室温空気の流通路内に送風機を収容する１対の送風筐体３７と、送風筐体３７に取り付けられて、第２吹出口３８から吹き出る気流の吹き出し方向を決定するサイドルーバー３９とを備える。送風筐体３７には、底板２８ａに並んで第２吹出口３８の前方に広がる外壁４４が設けられる。【選択図】図２
2020118411.tif 000002
【特許請求の範囲】
【請求項１】
熱交換器と、
前記熱交換器を収容する構造体とを備え、
前記構造体は、前記構造体の下部となる底板に区画される第１吹出口と、前記第１吹出口よりも上方に設けられる第１吸込口から前記第１吹出口に至る気流の通路を有し、
前記構造体に対して相対的に姿勢変化自在に前記第１吹出口の少なくとも片側に配置されて、前記通路から隔てられて、前記構造体外側の空間に開口する第２吸込口から、非作動位置で前記底板に並んで下向きに開口する第２吹出口に至る室温空気の流通路内に送風機を収容する送風筐体と、
前記送風筐体に取り付けられて、前記第２吹出口から吹き出る気流の吹き出し方向を決定するサイドルーバーと、前記サイドルーバーを駆動する駆動モータを備え、
前記送風筐体には、前記底板に並んで前記第２吹出口の前方で前記第２吹出口と平行に広がる外壁が設けられ、前記外壁の前記送風機側に前記駆動モータが配置される
ことを特徴とする空気調和機。
【請求項２】
請求項１に記載の空気調和機において、
前記外壁の内側で固定されて、第１面から前記サイドルーバーの軸体を受け入れ、回転自在に前記サイドルーバーの前記軸体を支持する支持部材と、
第１面の裏側の第２面上で前記支持部材に支持されて、ギアで前記軸体に連結される駆動軸を有する駆動モータと
を備えることを特徴とする空気調和機。
【請求項３】
請求項１または２に記載の空気調和機において、サイドルーバーは、非作動時に第２吹出口を塞いで送風筐体の外壁に視覚的に連続することを特徴とする空気調和機。
【請求項４】
請求項１〜３のいずれか１項に記載の空気調和機において、
前記構造体に取り付けられて、前方から前記構造体を覆い、前記送風筐体の回転軸線回りで円弧を描く湾曲面に形成されるフロントパネルを備え、
前記送風筐体の前面は、前記外壁から連続して前記フロントパネルの左右端に合わせて回転軸線回りで弧を描く湾曲面に形成されることを特徴とする空気調和機。
【発明の詳細な説明】
【技術分野】
【０００１】
本発明は、熱交換器と、底板に区画される第１吹出口を有し、第１吸込口から前記第１吹出口に至る気流の通路内に前記熱交換器を収容する構造体と、構造体に対して相対的に姿勢変化自在に第１吹出口の少なくとも片側に配置されて、通路から隔てられて、構造体外側の空間に開口する第２吸込口から第２吹出口に至る室内の空気が温度調整されることなく流通する室温空気の流通路内に送風機を収容する送風筐体とを備える空気調和機に関する。
【背景技術】
【０００２】
特許文献１は、送風筐体の第２吹出口に、軸体によって回転自在に保持されるサイドルーバーを備える。サイドルーバー（風向板）の軸体を保持するリンクケースが開示されている。リンクケースにはサイドルーバーに並んで駆動モータが支持される。サイドルーバーの軸体には軸体の軸心に平行に偏心軸が固定される。駆動モータの駆動軸には駆動軸の軸心に平行に偏心軸が固定される。サイドルーバーの偏心軸と駆動モータの偏心軸とはリンク部材で連結される。リンク部材はリンクケースの上面に重なる。駆動モータは、サイドルーバーと送風筐体の送風機とに挟まれた空間に配置される。
【先行技術文献】
【特許文献】
【０００３】
【特許文献１】特開２０１４−１６３５５９号公報
【発明の概要】
【発明が解決しようとする課題】
【０００４】
空気調和機は、前面の外観を形成するフロントパネルを備える。サイドルーバーは、視覚的にフロントパネルとの連続性を確保すべく送風筐体の前面に全面にわたって広がる。また、送風筐体の上面は、構造体の上面と視覚的に連続するよう形成されている。したがって、サイドルーバーの軸体から上方に駆動モータは突出することはできない。駆動モータはリンクケースの下向き面に固定される。駆動モータの駆動軸がサイドルーバーの軸体から遠ざけられることでサイドルーバーと駆動モータとの干渉は回避される。その結果、リンクケースは大型化してしまう。こうしてリンクケースが大型化すると、送風筐体に備えられる送風機（遠心ファン）の補助吹出口（第２吹出口）に至るスクロールケーシングには長い送風路が要求されてしまう。
【０００５】
本発明は、遠心ファンの外縁の軌道から吹出口まで延びる送風路の短縮に寄与することができる空気調和機を提供することを目的とする。
【課題を解決するための手段】
【０００６】
本発明の一形態は、熱交換器と、前記熱交換器を収容する構造体とを備え、前記構造体は、前記構造体の下部となる底板に区画される第１吹出口と、前記第１吹出口よりも上方に設けられる第１吸込口から前記第１吹出口に至る気流の通路を有し、前記構造体に対して相対的に姿勢変化自在に前記第１吹出口の少なくとも片側に配置されて、前記通路から隔てられて、前記構造体外側の空間に開口する第２吸込口から、非作動位置で前記底板に並んで下向きに開口する第２吹出口に至る室温空気の流通路内に送風機を収容する送風筐体と、前記送風筐体に取り付けられて、前記第２吹出口から吹き出る気流の吹き出し方向を決定するサイドルーバーと、前記サイドルーバーを駆動する駆動モータを備え、前記送風筐体には、前記底板に並んで前記第２吹出口の前方で前記第２吹出口と平行に広がる外壁が設けられ、前記外壁の前記送風機側に前記駆動モータが配置される空気調和機に関する。
【０００７】
底板に並んで第２吹出口の前方に広がる外壁を設けることで、サイドルーバーの軸体の延長上に空間を確保することができる。確保された空間には、サイドルーバーの軸体の軸方向に駆動モータは配置されることができる。サイドルーバーと送風機との間の空間に駆動モータが配置されることは回避されることから、遠心ファンのスクロールケーシングから補助吹出口（第２吹出口）に至る送風路は短縮されることができる。送風路の短縮は空気調和機のデザインの多様性を生み出すことができる。
【０００８】
空気調和機は、前記外壁の内側で固定されて、第１面から前記サイドルーバーの軸体を受け入れ、回転自在に前記サイドルーバーの前記軸体を支持する支持部材と、第１面の裏側の第２面上で前記支持部材に支持されて、ギアで前記軸体に連結される駆動軸を有する駆動モータとを備えてもよい。
【０００９】
サイドルーバーと駆動モータとはギアで連結されることから、単純な回転動作だけでサイドルーバーには駆動モータから駆動力は伝達されることができる。駆動力の伝達構造が簡素化されることで動作不良の可能性は減少する。ギアといった汎用的な部品が採用されることで、製造コストは低減されることができる。
【００１０】
サイドルーバーは、非作動時に第２吹出口を塞いで送風筐体の外壁に視覚的に連続してもよい。空気調和機の見栄えは向上する。室内の美観は高められることができる。
【００１１】
空気調和機は、前記構造体に取り付けられて、前方から前記構造体を覆い、前記送風筐体の回転する軸線回りで円弧を描く湾曲面に形成されるフロントパネルを備えてもよい。このとき、前記送風筐体の前面は、前記外壁から連続して前記フロントパネルの左右端に合わせて前記送風筐体の回転する軸線回りで弧を描く湾曲面に形成されればよい。フロントパネルと送風筐体とは視覚的に調和した形状を有するので、送風筐体はフロントパネルと協調して美観の向上に大いに貢献することができる。
【発明の効果】
【００１２】
以上のように開示の空気調和機によれば、遠心ファンの外縁の軌道から吹出口まで延びる送風路の短縮に寄与することができる。
【図面の簡単な説明】
【００１３】
【図１】本発明の一実施形態に係る空気調和機の構成を概略的に示す概念図である。
【図２】一実施形態に係る室内機の外観を概略的に示す斜視図である。
【図３】構造体の構成を概略的に示す斜視図である。
【図４】構造体内の気流の通路を概略的に示す室内機の垂直断面図である。
【図５】構造体および補助構造体の構造を概略的に示す分解斜視図である。
【図６】ファンユニットの分解斜視図である。
【図７】ラックおよび駆動ギアを概略的に示す送風路ユニットの斜視図である。
【図８】サイドルーバーの駆動ユニットの構成を概略的に示す斜視図である。
【図９】送風筐体内の室温空気の流通路を概略的に示す拡大垂直断面図である。
【図１０】基準位置に位置する送風筐体を示す垂直断面図である。
【図１１】第１送風位置に位置する送風筐体を示す垂直断面図である。
【図１２】第２送風位置に位置する送風筐体を示す垂直断面図である。
【図１３】冷房運転の初期段階で室内の空気の流れを概略的に示す概念図である。
【図１４】室内が設定温度に達した後に空気の流れの一例を示す概念図である。
【図１５】暖房運転の初期段階で室内の空気の流れを概略的に示す概念図である。
【図１６】室内が設定温度に達した後に空気の流れの一例を示す概念図である。
【発明を実施するための形態】
【００１４】
以下、添付図面を参照しつつ本発明の一実施形態を説明する。
【００１５】
図１は本発明の一実施形態に係る空気調和機１１の構成を概略的に示す。空気調和機１１は室内機１２および室外機１３を備える。室内機１２は例えば建物内の室内空間に設置される。その他、室内機１２は室内空間に相当する環境空間に設置されればよい。室内機１２には室内熱交換器１４が組み込まれる。室外機１３には圧縮機１５、室外熱交換器１６、膨張弁１７および四方弁１８が組み込まれる。室内熱交換器１４、圧縮機１５、室外熱交換器１６、膨張弁１７および四方弁１８は冷凍回路１９を形成する。
【００１６】
冷凍回路１９は第１循環経路２１を備える。第１循環経路２１は四方弁１８の第１口１８ａおよび第２口１８ｂを相互に結ぶ。第１循環経路２１には圧縮機１５が組み込まれる。圧縮機１５の吸入管１５ａは四方弁１８の第１口１８ａに冷媒配管を介して接続される。第１口１８ａからガス冷媒は圧縮機１５の吸入管１５ａに供給される。圧縮機１５は低圧のガス冷媒を所定の圧力まで圧縮する。圧縮機１５の吐出管１５ｂは四方弁１８の第２口１８ｂに冷媒配管を介して接続される。圧縮機１５の吐出管１５ｂからガス冷媒は四方弁１８の第２口１８ｂに供給される。第１循環経路２１は例えば銅管などの冷媒配管で形成される。
【００１７】
冷凍回路１９は第２循環経路２２をさらに備える。第２循環経路２２は四方弁１８の第３口１８ｃおよび第４口１８ｄを相互に結ぶ。第２循環経路２２には、第３口１８ｃ側から順番に室外熱交換器１６、膨張弁１７および室内熱交換器１４が組み込まれる。室外熱交換器１６は、通過する冷媒と周囲の空気との間で熱交換を実現する。室内熱交換器１４は、通過する冷媒と周囲の空気との間で熱交換を実現する。第２循環経路２２は例えば銅管などの冷媒配管で形成されればよい。
【００１８】
室外機１３には送風ファン２３が組み込まれる。送風ファン２３は室外熱交換器１６に通風する。送風ファン２３は例えば羽根車の回転に応じて気流を生成する。気流は室外熱交換器１６を通り抜ける。通り抜ける気流の流量は羽根車の毎分回転数に応じて調整される。室内熱交換器１４での熱交換量に応じて、室外熱交換器１６では冷媒と空気との間で交換される熱交換量が調整される。
【００１９】
室内機１２は本体ユニット２５および１対のファンユニット２６を備える。本体ユニット２５には室内熱交換器１４および送風ファン２７が組み込まれる。送風ファン２７は室内熱交換器１４に通風する。送風ファン２７は羽根車の回転に応じて気流を生成する。送風ファン２７の働きで本体ユニット２５には室内の空気が吸い込まれる。室内の空気は室内熱交換器１４を通り抜け冷媒と熱交換する。熱交換された冷気または暖気の気流は本体ユニット２５から吹き出される。通り抜ける気流の流量は羽根車の毎分回転数に応じて調整される。気流の流量に応じて室内熱交換器１４を通過する空気の温度を調整することができる。ファンユニット２６は室内の空気を吸い込んで室温空気を吹き出す。ファンユニット２６では熱交換されずに室温空気は室温のまま吹き出される。
【００２０】
冷凍回路１９で冷房運転が実施される場合には、四方弁１８は第２口１８ｂおよび第３口１８ｃを相互に接続し第１口１８ａおよび第４口１８ｄを相互に接続する。したがって、圧縮機１５の吐出管１５ｂから高温高圧の冷媒が室外熱交換器１６に供給される。冷媒は室外熱交換器１６、膨張弁１７および室内熱交換器１４を順番に流通する。室外熱交換器１６では冷媒から外気に放熱する。膨張弁１７で冷媒は低圧まで減圧される。減圧された冷媒は室内熱交換器１４で周囲の空気から吸熱する。冷気が生成される。冷気は送風ファン２７の働きで室内空間に流される。
【００２１】
冷凍回路１９で暖房運転が実施される場合には、四方弁１８は第２口１８ｂおよび第４口１８ｄを相互に接続し第１口１８ａおよび第３口１８ｃを相互に接続する。圧縮機１５から高温高圧の冷媒が室内熱交換器１４に供給される。冷媒は室内熱交換器１４、膨張弁１７および室外熱交換器１６を順番に流通する。室内熱交換器１４では冷媒から周囲の空気に放熱する。暖気が生成される。暖気は送風ファン２７の働きで室内空間に流される。膨張弁１７で冷媒は低圧まで減圧される。減圧された冷媒は室外熱交換器１６で周囲の空気から吸熱する。その後、冷媒は圧縮機１５に戻る。
【００２２】
図２は一実施形態に係る室内機１２の外観を概略的に示す。室内機１２の本体ユニット２５は構造体２８を備える。構造体２８には、前方から構造体２８を覆うフロントパネル２９が取り付けられる。構造体２８は例えば室内の壁面に固定されることができる。構造体２８は底板２８ａに区画される第１吹出口３１を有する。底板２８ａは床面に向き合う板面を有する。第１吹出口３１は下向きに開口する。第１吹出口３１は床面に向き合って水平面に沿って広がる。壁面は鉛直な平面であればよく、床面は壁面に対して垂直である水平方向に広がる平面であればよい。
【００２３】
第１吹出口３１には上下風向板３２が配置される。上下風向板３２は第１吹出口３１の長手方向に平行な長手軸線３３回りに回転することができる。回転に応じて上下風向板３２は第１吹出口３１を開閉することができる。本実施形態では上下風向板３２の後端に回転軸が設けられるものの、回転軸はその他の位置に設けられてもよい。
【００２４】
図３に示されるように、構造体２８には第１吸込口３４が形成される。第１吸込口３４は構造体２８の正面および上面で開口する。フロントパネル２９は構造体２８の正面で第１吸込口３４に覆い被さることができる。第１吸込口３４は室内熱交換器１４に向かって室内の空気を導入する。
【００２５】
室内機１２のファンユニット２６は、第１吹出口３１の長手方向に平行な方向の少なくとも片側から構造体２８に取り付けられればよい。ここでは、図２に示されるように、室内機１２のファンユニット２６は、第１吹出口３１の長手方向に平行な方向に左右両側から構造体２８に取り付けられる補助構造体３５を備える実施例を開示する。補助構造体３５には、長手軸線３３に平行な軸線３６回りで回転自在に送風筐体３７が支持される。送風筐体３７には、構造体２８の底板２８ａに並んで下向きに開口する第２吹出口３８が形成される。送風筐体３７には、第２吹出口３８を開閉するサイドルーバー３９が取り付けられる。サイドルーバー３９は、縦軸線４１回りで回転して、第２吹出口３８から吹き出る気流の吹き出し方向を決定する。ファンユニット２６は室内機１２の左右両側に取り付けられ、左右対称の動作および構造となっている。
【００２６】
送風筐体３７は、筐体本体３７ａに取り外し可能に取り付けられて、壁体４２に形成される複数の開口部４３が設けられる外側カバー３７ｂを備える。壁体４２は、構造体２８外側の空間に開口する第２吸込口（後述される）を覆って、送風筐体３７内には送風機（後述される）が収容される。送風筐体３７の筐体本体３７ａには、構造体２８の底板２８ａに並んで第２吹出口３８の前方に広がる外壁４４が設けられる。
【００２７】
フロントパネル２９は、送風筐体３７の軸線３６回りで円弧を描く湾曲面に形成される。送風筐体３７の前面は、フロントパネル２９の左右端に合わせた形状に形成される。すなわち、送風筐体３７の前面は軸線３６回りで円弧を描く湾曲面に形成される。送風筐体３７の前面は、フロントパネル２９から後方に後退した段差面を形成する。サイドルーバー３９は、第２吹出口３８を塞いで送風筐体３７の外壁４４に視覚的に連続する形状を有する。
【００２８】
図４に示されるように、構造体２８内には送風ファン２７が回転自在に支持される。送風ファン２７には例えばクロスフローファンが用いられることができる。送風ファン２７は軸線３６に平行なファン軸線４５回りで回転することができる。送風ファン２７のファン軸線４５は設置時に床面に平行に延びる。こうして送風ファン２７は第１吹出口３１に平行に配置される。
【００２９】
構造体２８には送風ファン駆動源４６が固定される。送風ファン駆動源４６には例えば電動モータが用いられることができる。送風ファン駆動源４６の駆動軸はその軸心回りで回転する。駆動軸は送風ファン２７のファン軸線４５に同軸に配置されることができる。送風ファン駆動源４６の駆動軸は送風ファン２７の回転軸に結合されることができる。こうして送風ファン駆動源４６の駆動力は送風ファン２７に伝達される。ここで、送風ファン駆動源４６あるいは後述するファン駆動源５７、筐体駆動源６８は、図示しない制御部によって制御されればよい。
【００３０】
構造体２８では、左右の補助構造体３５の間で第１吸込口３４から第１吹出口３１に至る通路４７が区画される。通路４７内に室内熱交換器１４が収容される。室内熱交換器１４は、第１吸込口３４と送風ファン２７との間に配置される。送風ファン駆動源４６が送風ファン２７を駆動すると、送風ファン２７の回転に応じて通路４７内に第１吸込口３４から第１吹出口３１に至る気流が生成される。気流は室内熱交換器１４を通過する。その結果、冷気または暖気の気流が生成される。冷気または暖気の気流は第１吹出口３１から吹き出される。
【００３１】
図５に示されるように、補助構造体３５は、ファン軸線４５に直交する平板で形成されるサイドパネル４８を備える。サイドパネル４８は、水平方向に左右から、構造体２８内に区画される気流の通路４７を仕切る。サイドパネル４８は、例えばねじで構造体２８に結合される。
【００３２】
ファンユニット２６は、サイドパネル４８に一体に形成されて、後方から送風筐体３７の占有空間を区画するハウジング壁５１を備える。送風筐体３７の後面は、前面と同様に、軸線３６回りで円弧を描く湾曲面に形成される。
【００３３】
ハウジング壁５１は、送風筐体３７の後面に合わせて軸線３６回りで円弧を描く湾曲面に窪む。こうしてハウジング壁５１は送風筐体３７の輪郭に合わせ込まれる。ハウジング壁５１は視覚的に送風筐体３７の壁体４２に連続する。
【００３４】
送風筐体３７の上面は補助構造体３５の天板５２の延長上で広がる。こうして送風筐体３７の上面は補助構造体３５の天板５２に視覚的に連続する。送風筐体３７は、室内機１２のデザインと一体化される。
【００３５】
図６に示されるように、個々のファンユニット２６は第１化粧筐体５３ａおよび第２化粧筐体５３ｂを備える。筐体本体３７ａは第１化粧筐体５３ａおよび第２化粧筐体５３ｂを有する。第１化粧筐体５３ａに外側カバー３７ｂは装着される。第１化粧筐体５３ａおよび第２化粧筐体５３ｂが相互に結合されることで、第２吹出口３８が形成される。第２化粧筐体５３ｂには軸線３６に同軸の円形開口５９が区画される。第１化粧筐体５３ａおよび第２化粧筐体５３ｂで区画される内部空間には送風路ユニット５４、遠心ファン５５、取り付け板５６、ファン駆動源５７および保護部材５８が収容される。
【００３６】
ファンユニット２６は送風路ユニット５４を備える。送風路ユニット５４は第１部材５４ａおよび第２部材５４ｂを有する。第１部材５４ａと第２部材５４ｂとの間には、構造体２８内の通路４７から隔てられて、構造体２８外側の空間に開口する第２吸込口６４から第２吹出口３８に至る流通路（後述される）が区画される。送風路ユニット５４の第２部材５４ｂは第２化粧体５３ｂに結合される。こうして送風路ユニット５４は送風筐体に一体化される。
【００３７】
送風路ユニット５４の第１部材５４ａは、軸線３６に直交する板片６２と、板片６２の内側から第２化粧筐体５３ｂに向かって立ち上がる路壁６３とを有する。板片６２には、外側カバー３７ｂに覆われる第２吸込口６４が区画される。第２吸込口６４は、壁体４２の開口部４３に対応して、複数のパンチング孔によって形成される開口である。
【００３８】
ファンユニット２６は遠心ファン５５を備える。遠心ファン５５は送風路ユニット５４内に収容される。遠心ファン５５は第２吸込口６４から第２吹出口３８に至る流通路内に配置される。
【００３９】
遠心ファン５５の回転軸はサイドパネル４８の外壁面（ファンユニット２６側の面）に交差する。ここでは、遠心ファン５５の回転軸は外壁面に直交する。遠心ファン５５の回転軸線は送風筐体３７の軸線３６に重なることができる。遠心ファン５５が回転すると、遠心ファン５５の軸線に沿って第２吸込口６４から室内の空気は取り込まれる。遠心ファン５５は全周にわたって遠心方向に室温空気を押し出す。こうして押し出された室温空気は流通路を伝って第２吹出口３８から吹き出す。
【００４０】
ファンユニット２６は取り付け板５６を備える。取り付け板５６は、後述されるように、送風路ユニット５４の第２部材５４ｂに連結される。取り付け板５６はサイドパネル４８の外壁面に重ねられる。取り付け板５６は例えばサイドパネル４８にねじ止めされる。個々のねじは軸線３６に平行な軸心を有することができる。取り付け板５６は円形の外縁を有しており、その外縁は第２化粧筐体５３ｂの円形開口５９に嵌め合わせられる。円形開口５９に沿って、取り付け板５６の外縁は回転する。
【００４１】
ファンユニット２６はファン駆動源５７を備える。ファン駆動源５７は取り付け板５６に支持される。ファン駆動源５７は例えば電動モータで構成されることができる。ファン駆動源５７の駆動軸５７ａに第２送風ファンとしての遠心ファン５５が固定される。
【００４２】
ファンユニット２６は保護部材５８を備える。保護部材５８は取り付け板５６に結合される。保護部材５８は、遠心ファン駆動源５７に覆い被さるドーム形状に形成される。ファン駆動源５７の駆動軸５７ａは保護部材５８および送風路ユニット５４の第２部材５４ｂを貫通して送風路ユニット５４内の空間に進入する。ファン駆動源５７および遠心ファン５５は送風機を形成する。
【００４３】
図７に示されるように、送風路ユニット５４の第２部材５４ｂにはラック６６が形成される。ラック６６は軸線３６に同軸の円筒面に沿って配置される。ラック６６には駆動ギア６７が噛み合う。駆動ギア６７の回転軸は軸線３６に平行に設定される。駆動ギア６７の回転に応じて軸線３６回りで送風路ユニット５４は取り付け板５６に対して回転することができる。ラック６６および駆動ギア６７は動力伝達手段を構成する。
【００４４】
取り付け板５６には筐体駆動源６８が取り付けられる。筐体駆動源６８は、例えば、パルス電力の供給に応じて軸心回りで駆動軸を駆動するステッピングモータである。筐体駆動源６８の駆動軸は駆動ギア６７に連結される。駆動軸の軸心は駆動ギア６７の回転軸線に重なる。こうして駆動ギア６７の回転は筐体駆動源６８の動力に基づき引き起こされる。筐体駆動源６８は送風筐体３７の回転を引き起こす駆動力を生成する。筐体駆動源６８はサイドパネル４８の内壁面にねじ止めされる。筐体駆動源６８の駆動軸はサイドパネル４８を貫通する。筐体駆動源６８の固定にあたって用いられるねじはサイドパネル４８の内壁面（外壁面の裏側）からサイドパネル４８を貫通して取り付け板５６にねじ込まれてもよい。こうした共締めに応じて取り付け板５６はより強固に固定されることができる。パルス電力のパルス数に応じて送風筐体３７の回転位置は制御されることができる。
【００４５】
図８に示されるように、ファンユニット２６はサイドルーバー３９の駆動ユニット６９を備える。駆動ユニット６９は、回転自在にサイドルーバー３９の軸体７１を支持する支持部材７２を含む。軸体７１は支持部材７２の一方の面から支持部材７２に受け入れられる。軸体７１は、サイドルーバー３９の羽根体３９ａに差し込まれて結合される。軸体７１の軸心は縦軸線４１に重なる。支持部材７２は、送風路ユニット５４の第１部材５４ａに固定されて、第１部材５４ａとの間で回転自在にサイドルーバー３９の羽根体３９ａを支持する。
【００４６】
支持部材７２の軸体７１が取り付けられる面にはギアカバー７３が取り付けられる。ギアカバー７３は、支持部材７２との間に駆動ギア７４および従動ギア７５を収容する。駆動ギア７４は、支持部材７２の一方の面から突出する支柱７６に回転自在に装着される。駆動ギア７４の回転軸線は縦軸線４１に平行に設定される。従動ギア７５は駆動ギア７４に噛み合う。従動ギア７５はサイドルーバー３９に接続される軸体７１に固定される。
【００４７】
ギアカバー７３にはルーバー駆動源（駆動モータ）７７が取り付けられる。したがって、ルーバー駆動源７７はギアカバー７３を介して支持部材７２に支持される。ルーバー駆動源７７は、例えば、パルス電力の供給に応じて軸心回りで駆動軸７７ａを駆動するステッピングモータである。駆動軸７７ａの軸心は縦軸線４１に平行に設定される。駆動軸７７ａは駆動ギア７４に差し込まれて結合される。こうして駆動軸７７ａは駆動ギア７４および従動ギア７５を介してサイドルーバー３９に接続される軸体７１に連結される。駆動軸７７ａの駆動力は駆動ギア７４および従動ギア７５を経てサイドルーバー３９に伝達される。パルス電力のパルス数に応じてサイドルーバー３９の開き位置は制御されることができる。
【００４８】
図９に示されるように、送風路ユニット５４は、遠心ファン５５の外縁の軌道７８から徐々に遠ざかりながら遠心ファン５５の回転方向ＤＲに延びる導風壁７９と、導風壁７９に向き合いながら、遠心ファン５５の外縁の軌道７８から外壁４４に向かって延び、導風壁７９との間に送風路８１を区画する案内壁８２とを備える。導風壁７９は、第２吹出口３８の前端３８ａ側から遠心ファン５５回りに周方向に延びて第２吹出口３８の後端３８ｂ側に至る。導風壁７９の径方向外側で外壁４４の内側に駆動ユニット６９が配置される。
【００４９】
図１０に示されるように、送風路ユニット５４の第２部材５４ｂには、送風筐体３７の外縁から径方向に突出する制止体８３が形成される。制止体８３には、軸線３６から第１距離Ｄ１で離れる外端から、第１距離Ｄ１よりも小さい第２距離Ｄ２で離れる内端まで広がるストッパ面８３ａが形成される。ストッパ面８３ａは、軸線３６を中心に回転する送風筐体３７の動きを規制できる角度であればよい。
【００５０】
補助構造体３５のハウジング壁５１には、制止体８３の外端の軌道よりも外側に位置する対向壁８４が含まれる。対向壁８４は軸線３６に同軸の円弧を描く湾曲面で送風筐体３７の外縁に向き合わせられる。対向壁８４の上端には、対向壁８４の湾曲面から軸線３６に向かって突き出る規制体８５が形成される。規制体８５には送風筐体３７のストッパ面８３ａを受け止める当たり面８５ａが形成される。送風筐体３７の制止体８３は、軸線３６回りに対向壁８４の内側で対向壁８４の規制体８５よりも順方向ＦＤ（図１０では右回り）に延びる経路に沿って変位することができる。対向壁８４の規制体８５は、順方向ＦＤの反対向きの逆方向ＲＤ（図１０では左回り）に制止体８３の変位を規制する。送風筐体３７の制止体８３は、規制体８５よりも順方向ＦＤに延びる経路内で円弧を描き移動する。
【００５１】
送風筐体３７のストッパ面８３ａが規制体８５の当たり面８５ａに接触すると、送風筐体３７は基準位置に位置決めされる。基準位置では第２吹出口３８は底板２８ａと並んだ下向きに開口する。外壁４４および閉じ位置のサイドルーバー３９は構造体２８の底板２８ａに並んで視覚的に連続する。送風筐体３７の上面は補助構造体３５の天板５２に並んで視覚的に連続する。送風筐体３７の基準位置はファンユニット２６の運転停止時に確立される非作動位置に相当する。
【００５２】
図１１に示されるように、送風筐体３７が軸線３６回りに規定の第１角度αで順方向ＦＤに回転すると、送風筐体３７は第１送風位置に位置する。第１送風位置では第２吹出口３８は基準位置よりも上側に開口する位置であって、構造体２８の前方向きかつ下向きに開口する。送風筐体３７は、わずかながら構造体２８の底板２８ａよりも下方に突出し、わずかながら補助構造体３５の天板５２よりも上方に突出する。送風筐体３７の前面は送風筐体の軸線３６からの距離が大きく変わらない湾曲面で形成されているので、送風筐体３７が回転しても、構造体２８の上下の面から送風筐体３７が大きく出っ張ることを抑制できる。
【００５３】
図１２に示されるように、送風筐体３７が軸線３６回りに第１角度αよりも大きい第２角度β（ここでは９０度）で回転すると、送風筐体３７は第２送風位置に位置する。第２送風位置では第２吹出口３８は水平方向に正面向き（前向き）に開口する。送風筐体３７は、構造体２８の底板２８ａよりも下方にわずかながら後面の湾曲面を突出させ、補助構造体３５の天板５２よりも上方にわずかながら前面の湾曲面を突出させる。このように送風筐体３７が基準位置よりも順方向ＦＤに回転した位置は、ファンユニット２６の作動時に確立される作動位置に含まれる。
【００５４】
次に空気調和機１１の動作を説明する。例えば冷房運転が設定されると、四方弁１８は第２口１８ｂおよび第３口１８ｃを相互に接続し第１口１８ａおよび第４口１８ｄを相互に接続する。圧縮機１５の動作に応じて冷媒が冷凍回路１９を循環する。その結果、室内熱交換器１４で冷気が生成される。冷気の温度は、少なくとも第１吸込口３４から吸い込まれる室内の空気の温度よりも低い。
【００５５】
１対の送風筐体３７は冷房運転の初期位置に位置決めされる。冷房運転の初期位置は第１送風位置に相当する。送風筐体３７は基準位置から軸線３６回りに順方向ＦＤに駆動される。送風筐体３７の位置決めにあたって筐体駆動源６８にはパルス電力が供給される。
【００５６】
送風筐体３７の駆動に先立って送風筐体３７は軸線３６回りで逆方向に駆動される。送風路ユニット５４の制止体８３は補助構造体３５の規制体８５に当たる。ストッパ面８３ａと当たり面８５ａとの接触に応じて送風筐体３７の基準位置は確立される。基準位置からパルス電力のパルス数に応じて回転角度は制御される。
【００５７】
サイドルーバー３９は第２吹出口３８を開放する。開放にあたってルーバー駆動源７７にはパルス電力が供給される。ルーバー駆動源７７はパルス数に応じて縦軸線４１回りでサイドルーバー３９を駆動する。
【００５８】
送風ファン２７が回転すると、例えば図１３に示されるように、冷気の気流８６は第１吹出口３１から水平方向に前方に吹き出る。上下風向板３２は床面に対してほぼ平行な姿勢に保持される。
【００５９】
遠心ファン５５が回転すると、ファンユニット２６では第２吸込口６４から室内の空気が送風路ユニット５４内に流入する。ファンユニット２６は第２吹出口３８から下向きに室温空気の気流８７を吹き出す。冷気の気流８６の下方で緩やかな室温空気の気流８７が生成される。冷気は高い位置から床面に向かって下降していく。室内では徐々に冷気が蓄積されていく。ファンユニット２６は冷房運転時にいわゆる扇風機の代わりとして機能する。在室者Ｍは心地よい涼感を得ることができる。ここで、第２吹出口３８の向きは上下風向板３２の姿勢に応じて設定されればよい。例えば利用者が上下風向板３２を下向きに設定した場合は、第２吹出口３８の向きを基準位置と同じくしてもよい。
【００６０】
室温が設定温度に近づくと、例えば図１４に示されるように、１対の送風筐体３７は軸線３６回りに第１送風位置から第２送風位置に駆動される。送風筐体３７の位置決めにあたって筐体駆動源６８にはパルス電力が供給される。ファンユニット２６は第２吹出口３８から水平方向に室温空気の気流８８を吹き出す。室温空気は冷気と混ざり合って柔らかに在室者Ｍに届く。
【００６１】
例えば暖房運転が設定されると、四方弁１８は第２口１８ｂおよび第４口１８ｄを相互に接続し第１口１８ａおよび第３口１８ｃを相互に接続する。圧縮機１５の動作に応じて冷媒が冷凍回路１９を循環する。その結果、室内熱交換器１４で暖気が生成される。暖気の温度は少なくとも室内の空気の温度よりも高い。
【００６２】
１対の送風筐体３７は暖房運転の初期位置に位置決めされる。暖房運転の初期位置は第１送風位置に相当する。送風筐体３７は、前述と同様に、基準位置から軸線３６回りに順方向ＦＤに駆動される。サイドルーバー３９は第２吹出口３８を開放する。
【００６３】
図１５に示されるように、暖房運転では送風ファン２７の回転に応じて暖気の気流８９が第１吹出口３１から下向きに床面に向かって吹き出す。上下風向板３２の姿勢は下向きに設定される。
【００６４】
遠心ファン５５の回転に応じて第２吹出口３８から室温空気は吹き出す。暖気の気流８９の上方で室温空気の気流９１は生成される。暖気の気流８９が温度の低い室温空気に抑え込まれるため、暖気の吹き上がりは抑制される。こうして室内は在室者Ｍの足下から暖められる。
【００６５】
例えば床面が暖まると、例えば図１６に示されるように、上下風向板３２は床面に対してほぼ平行な姿勢に変化する。第１吹出口３１から床面に平行に暖気の気流９２は生成される。１対の送風筐体３７は軸線３６回りに第１送風位置から第２送風位置に駆動される。第２吹出口３８から床面に平行に室温空気の気流９３は生成される。室温空気は暖気と混ざり合って在室者Ｍに直接に当たらずに室内の空気を撹拌する。
【００６６】
以上説明した通り、本実施形態に係る空気調和機１１の室内機１２では、構造体２８の底板２８ａに並んで第２吹出口３８の延長上で、第２吹出口３８よりも前方に広がる外壁４４が送風筐体３７に設けられる。外壁４４は底板２８ａに並んで第２吹出口３８の前端３８ａ側に広がることから、外壁４４はサイドルーバー３９の軸体７１の延長上に空間４９を確保する。したがって、サイドルーバー３９の軸体７１の軸方向にルーバー駆動源７７は配置される。サイドルーバー３９と遠心ファン５５の外縁の軌道７８との間にルーバー駆動源７７を配置する空間を設けないことから、サイドルーバー３９の駆動ユニット６９は小型化されることができる。駆動ユニット６９が小型化すると、遠心ファン５５の外縁の軌道７８から第２吹出口３８まで送風路８１は短縮されることができる。送風路８１の短縮は室内機１２のデザインの多様性を生み出すことができる。
【００６７】
本実施形態に係る室内機１２では、送風筐体３７は、第２吹出口３８の前端３８ａ側を起点とし遠心ファン５５の外縁の軌道７８から徐々に遠ざかりながら遠心ファン５５回りに周方向に延び第２吹出口３８の後端３８ｂ側に至る導風壁７９と、導風壁７９に向き合いながら、遠心ファン５５の外縁の軌道７８から外壁４４に向かって延び、導風壁７９との間に送風路８１を区画する案内壁８２とを備える。前述のように、ルーバー駆動源７７をサイドルーバー３９と遠心ファン５５の外縁の軌道７８との間に配置しないので、第２吹出口３８はできる限り遠心ファン５５の外縁に近づくことができる。したがって、案内壁８２は短縮される。こうして送風路８１は短縮される。
【００６８】
空気調和機１１の室内機１２は、外壁４４の内側で固定されて、第１面からサイドルーバー３９の軸体７１を受け入れ、回転自在にサイドルーバー３９の軸体７１を支持する支持部材７２と、第１面の裏側の第２面上で支持部材７２に支持されて、駆動ギア７４および従動ギア７５で軸体７１に連結される駆動軸７７ａを有するルーバー駆動源７７とを備える。サイドルーバー３９とルーバー駆動源７７とは駆動ギア７４および従動ギア７５で連結されることから、単純な回転動作だけでサイドルーバー３９にはルーバー駆動源７７から駆動力は伝達される。駆動力の伝達構造が簡素化されることで動作不良の可能性は減少する。ギアといった汎用的な部品が採用されることで、製造コストは低減される。
【００６９】
サイドルーバー３９は、非作動時に第２吹出口３８を塞いで送風筐体３７の外壁４４に視覚的に連続する。こうして室内機１２の見栄えは向上する。室内の美観は高められることができる。
【００７０】
本実施形態では、送風筐体３７の前面は、外壁４４から連続してフロントパネル２９の左右端に合わせて軸線３６回りで弧を描く湾曲面に形成される。フロントパネル２９と送風筐体３７とは視覚的に調和した形状を有するので、送風筐体３７はフロントパネル２９と協調して美観の向上に大いに貢献する。しかも、送風筐体３７の前面は、外壁４４から連続して軸線３６回りに円弧を描く湾曲面に形成されるので、サイドルーバー３９の軸体７１の延長上に大きな空間４９は確保されることができる。
【符号の説明】
【００７１】
１２…空気調和機（室内機）、１４…熱交換器（室内熱交換器）、２８…構造体、２８ａ…底板、２９…フロントパネル、３１…第１吹出口、３４…第１吸込口、３６…（送風筐体の）回転軸線、３７…送風筐体、３８…第２吹出口、３９…サイドルーバー、４４…（下向きの）外壁、４７…気流の通路、５５…送風機の一部（遠心ファン）、５７…送風機の一部（ファン駆動源）、６４…第２吸込口、７１…(サイドルーバーの)軸体、７２…支持部材、７４…ギア（駆動ギア）、７５…ギア（従動ビア）、７７…駆動モータ（ルーバー駆動源）、７７ａ…駆動軸、７８…（遠心ファンの）軌道、７９…導風壁、８１…送風路、８２…案内壁。
【図１】
2020118411.tif 000003
【図２】
2020118411.tif 000004
【図３】
2020118411.tif 000005
【図４】
2020118411.tif 000006
【図５】
2020118411.tif 000007
【図６】
2020118411.tif 000008
【図７】
2020118411.tif 000009
【図８】
2020118411.tif 000010
【図９】
2020118411.tif 000011
【図１０】
2020118411.tif 000012
【図１１】
2020118411.tif 000013
【図１２】
2020118411.tif 000014
【図１３】
2020118411.tif 000015
【図１４】
2020118411.tif 000016
【図１５】
2020118411.tif 000017
【図１６】
2020118411.tif 000018